(57)【要約】【課題】ダイバーシティ受信によって受信可能な放送の探索を、短時間で探索漏れなく行う「放送受信装置」を提供する。【解決手段】第１ＢＧチューナ１０９１、第２ＢＧチューナ１０９２それぞれにおける受信品質Qr1、Qr2の少なくとも一方が良である周波数チャネルは、受信部１０３で正常にダイバーシティ受信できる周波数チャネルである正常受信可能チャネルと判定し、受信品質Qr1、Qr2の双方が悪である周波数チャネルは、正常受信可能チャネルでないと判定する。そして、第１ＢＧチューナ１０９１、第２ＢＧチューナ１０９２それぞれにおける受信品質Qr1、Qr2の双方が不良または一方が不良で他方が悪である周波数チャネルについては、受信品質検出部１０９３におけるダイバーシティ受信品質QrDの検出をまって、正常受信可能チャネルであるかどうかを判定する。【選択図】図１
2018007052.tif 000002
【特許請求の範囲】
【請求項１】
放送チャネルを用いて伝送される放送を受信する放送受信装置であって、
第１のアンテナと、
第２のアンテナと、
前記第１のアンテナと第２のアンテナとを用いた前記放送のダイバーシティ受信を行い、受信した放送のコンテンツをユーザに対して出力するダイバーシティ受信部と、
検査対象の放送チャネルである検査チャネルが、前記ダイバーシティ受信部で正常にダイバーシティ受信できる受信可能放送チャネルであるかどうかを判定する判定処理を行う受信可能放送チャネル判定手段と、
バックグランド受信部とを有し、
当該バックグランド受信部は、
前記検査チャネルの前記第１のアンテナによる受信品質を第１受信品質として検出する第１受信品質検出部と、
前記検査チャネルの前記第２のアンテナによる受信品質を第２受信品質として検出する第２受信品質検出部と、
前記検査チャネルの前記第１のアンテナと第２のアンテナとを用いたダイバーシティ受信の受信品質をダイバーシティ受信品質として検出するダイバーシティ受信品質検出部とを有し、
前記受信可能放送チャネル判定手段は、前記判定処理において、
前記検査チャネルの第１受信品質と第２受信品質のうちの少なくとも一方が所定の受信品質を表す第１のレベルより良好である場合に、前記検査チャネルは前記受信可能放送チャネルであると判定し、
前記検査チャネルの第１受信品質と第２受信品質の双方が、前記第１のレベルより所定程度低い所定の受信品質を表す第２のレベルより良好でない場合に、前記検査チャネルは前記受信可能放送チャネルでないと判定し、
他の場合に、前記検査チャネルのダイバーシティ受信品質を取得し、取得したダイバーシティ受信品質が良好であるときに前記検査チャネルは前記受信可能放送チャネルであると判定し、取得したダイバーシティ受信品質が良好でないときに、前記検査チャネルは前記受信可能放送チャネルでないと判定することを特徴とする放送受信装置。
【請求項２】
放送チャネルを用いて伝送される放送を受信する放送受信装置であって、
第１のアンテナと、
第２のアンテナと、
前記第１のアンテナと第２のアンテナとを用いた前記放送のダイバーシティ受信を行い、受信した放送のコンテンツをユーザに対して出力するダイバーシティ受信部と、
検査対象の放送チャネルである検査チャネルが、前記ダイバーシティ受信部で正常にダイバーシティ受信できる受信可能放送チャネルであるかどうかを判定する判定処理を行う受信可能放送チャネル判定手段と、
バックグランド受信部とを有し、
当該バックグランド受信部は、
前記検査チャネルの前記第１のアンテナによる受信品質を第１受信品質として検出する第１受信品質検出部と、
前記検査チャネルの前記第２のアンテナによる受信品質を第２受信品質として検出する第２受信品質検出部と、
前記検査チャネルの前記第１のアンテナと第２のアンテナとを用いたダイバーシティ受信の受信品質をダイバーシティ受信品質として検出するダイバーシティ受信品質検出部とを有し、
前記受信可能放送チャネル判定手段は、前記判定処理において、
前記検査チャネルの第１受信品質と第２受信品質のうちの少なくとも一方が所定の受信品質を表す第１のレベルより良好である場合に、前記検査チャネルは前記受信可能放送チャネルであると判定し、
前記検査チャネルの第１受信品質と第２受信品質の双方が、前記第１のレベルより良好でなく、かつ、前記第１受信品質と前記第２受信品質の少なくとも一方が、前記第１のレベルより所定程度低い所定の受信品質を表す第２のレベルより良好でない場合に、前記検査チャネルは前記受信可能放送チャネルでないと判定し、
他の場合に、前記検査チャネルのダイバーシティ受信品質を取得し、取得したダイバーシティ受信品質が良好であるときに前記検査チャネルは前記受信可能放送チャネルであると判定し、取得したダイバーシティ受信品質が良好でないときに、前記検査チャネルは前記受信可能放送チャネルでないと判定することを特徴とする放送受信装置。
【請求項３】
請求項１または２記載の放送受信装置であって、
前記ダイバーシティ受信部が受信可能な放送チャネルが登録されたステーションリストと、
ユーザ操作に応じて、前記ステーションリストに登録されている放送チャネルの放送の受信を、前記ダイバーシティ受信部に行わせる受信チャネル制御手段と、
前記ステーションリストを作成するステーションリスト作成手段とを有し、
前記ステーションリスト作成手段は、前記検査チャネルとする放送チャネルを切り替えながら、各検査チャネルについての前記判定処理を受信可能放送チャネル判定手段に行わせて、各放送チャネルが前記受信可能放送チャネルであるか否かを検出し、前記受信可能放送チャネルであることが検出された放送チャネルを前記ステーションリストに登録することを特徴とする放送受信装置。
【請求項４】
請求項１、２または３記載の放送受信装置であって、
前記第１受信品質検出部は、前記第１のアンテナを用いて前記検査チャネルの放送信号を受信する第１のチューナを含み、
前記第２受信品質検出部は、前記第２のアンテナを用いて前記検査チャネルの放送信号を受信する第２のチューナを含み、
前記ダイバーシティ受信品質検出部は、前記第１チューナが受信した放送信号と前記第２チューナが受信した放送信号をダイバーシティ合成するダイバーシティ合成部と、当該ダイバーシティ合成部が合成した放送信号に基づいて前記ダイバーシティ受信品質を検出する検出部とを含むことを特徴とする放送受信装置。
【請求項５】
請求項１、２、３または４記載の放送受信装置であって、
前記第１のレベルは、前記第１チューナもしくは第２チューナで前記検査チャネルを正常に受信できなくなる受信品質のレベルであることを特徴とする放送受信装置。
【請求項６】
請求項５記載の放送受信装置であって、
前記第２のレベルは、前記第１のアンテナによる受信品質と前記第２のアンテナによる受信品質の双方が当該第２のレベルよりも良好でない場合に、前記ダイバーシティ受信部で正常にダイバーシティ受信できなくなることが保証されるレベルに設定されることを特徴とする放送受信装置。
【請求項７】
請求項１、２、３、４、５または６記載の放送受信装置であって、
前記放送はラジオ放送であることを特徴とする放送受信装置。
【請求項８】
請求項１、２、３、４、５、６または７記載の放送受信装置であって、
当該放送受信装置は、自動車に搭載される放送受信装置であることを特徴とする放送受信装置。
【発明の詳細な説明】
【技術分野】
【０００１】
本発明は、ラジオ放送等の放送を受信する放送受信装置に関するものである。
【背景技術】
【０００２】
ラジオ放送等の放送を受信する技術としては、アンテナとチューナの組を二組備えたラジオ放送受信装置において、受信中の放送の受信品質が不良であるときには、アンテナとチューナの組を二組用いて放送のフェーズダイバーシティ受信を行い、受信中の放送の受信品質が良好であるときには、アンテナとチューナの一方の組を放送の受信に用いつつ、他方の組をバックグランドで用いて受信可能な他の放送の探索を行う技術が知られている（たとえば、特許文献１）。
【先行技術文献】
【特許文献】
【０００３】
【特許文献１】特開２００７-６０６２４号公報
【発明の概要】
【発明が解決しようとする課題】
【０００４】
上述したアンテナとチューナの組を二組備えたラジオ放送受信装置によれば、受信可能な他の放送の探索は、一組のアンテナとチューナを用いて行われる。一方、二組のアンテナとチューナを用いるフェーズダイバーシティ受信によれば、一組のアンテナとチューナのみを用いた場合に比べ、良好な受信品質で放送を受信することができる。
【０００５】
したがって、このような一組のアンテナとチューナを用いてバックグランドで受信可能な他の放送の探索を行うラジオ放送受信装置によれば、二組のアンテナとチューナを用いるフェーズダイバーシティ受信を行った場合に受信可能な放送の探索漏れが発生する。
【０００６】
ここで、このような探索漏れは、受信可能な他の放送の探索も二組のアンテナとチューナを用いたフェーズダイバーシティ受信によってバックグランドで行うようにすれば排除することができる。
【０００７】
一方で、フェーズダイバーシティ受信を行う場合には、二組のアンテナとチューナでそれぞれ受信した受信信号の位相合わせなどの前処理を行って初めて定常的な放送の受信が可能となるため、放送の受信品質を検出するまでに、一組のアンテナとチューナを用いて放送の受信品質を検出する場合よりも長い時間が必要となる。
【０００８】
そして、このために、受信可能な他の放送の探索をフェーズダイバーシティ受信によってバックグランドで行う場合には、受信可能な他の放送の探索に要する時間が長期間化してしまうという問題が生じる。
【０００９】
そこで、本発明は、ダイバーシティ受信を行う放送受信装置において、ダイバーシティ受信によって受信可能な放送の探索を、短時間で探索漏れなく行うことを課題とする。
【課題を解決するための手段】
【００１０】
前記課題達成のために、本発明は、放送チャネルを用いて伝送される放送を受信する放送受信装置に、第１のアンテナと、第２のアンテナと、前記第１のアンテナと第２のアンテナとを用いた前記放送のダイバーシティ受信を行い、受信した放送のコンテンツをユーザに対して出力するダイバーシティ受信部と、検査対象の放送チャネルである検査チャネルが、前記ダイバーシティ受信部で正常にダイバーシティ受信できる受信可能放送チャネルであるかどうかを判定する判定処理を行う受信可能放送チャネル判定手段と、バックグランド受信部とを備えたものである。ここで、当該バックグランド受信部は、前記検査チャネルの前記第１のアンテナによる受信品質を第１受信品質として検出する第１受信品質検出部と、前記検査チャネルの前記第２のアンテナによる受信品質を第２受信品質として検出する第２受信品質検出部と、前記検査チャネルの前記第１のアンテナと第２のアンテナとを用いたダイバーシティ受信の受信品質をダイバーシティ受信品質として検出するダイバーシティ受信品質検出部とを備えている。また、前記受信可能放送チャネル判定手段は、前記判定処理において、前記検査チャネルの第１受信品質と第２受信品質のうちの少なくとも一方が所定の受信品質を表す第１のレベルより良好である場合に、前記検査チャネルは前記受信可能放送チャネルであると判定し、前記検査チャネルの第１受信品質と第２受信品質の双方が、前記第１のレベルより所定程度低い所定の受信品質を表す第２のレベルより良好でない場合に、前記検査チャネルは前記受信可能放送チャネルでないと判定し、他の場合に、前記検査チャネルのダイバーシティ受信品質を取得し、取得したダイバーシティ受信品質が良好であるときに、前記検査チャネルは前記受信可能放送チャネルであると判定し、取得したダイバーシティ受信品質が良好でないときに、前記検査チャネルは前記受信可能放送チャネルでないと判定する。
【００１１】
また、前記課題達成のために、本発明は、放送チャネルを用いて伝送される放送を受信する放送受信装置に、第１のアンテナと、第２のアンテナと、前記第１のアンテナと第２のアンテナとを用いた前記放送のダイバーシティ受信を行い、受信した放送のコンテンツをユーザに対して出力するダイバーシティ受信部と、検査対象の放送チャネルである検査チャネルが、前記ダイバーシティ受信部で正常にダイバーシティ受信できる受信可能放送チャネルであるかどうかを判定する判定処理を行う受信可能放送チャネル判定手段と、バックグランド受信部とを備えたものである。ここで、当該バックグランド受信部は、前記検査チャネルの前記第１のアンテナによる受信品質を第１受信品質として検出する第１受信品質検出部と、前記検査チャネルの前記第２のアンテナによる受信品質を第２受信品質として検出する第２受信品質検出部と、前記検査チャネルの前記第１のアンテナと第２のアンテナとを用いたダイバーシティ受信の受信品質をダイバーシティ受信品質として検出するダイバーシティ受信品質検出部とを備えている。また、前記受信可能放送チャネル判定手段は、前記判定処理において、前記検査チャネルの第１受信品質と第２受信品質のうちの少なくとも一方が所定の受信品質を表す第１のレベルより良好である場合に、前記検査チャネルは前記受信可能放送チャネルであると判定し、前記検査チャネルの第１受信品質と第２受信品質の双方が、前記第１のレベルより良好でなく、かつ、前記第１受信品質と前記第２受信品質の少なくとも一方が、前記第１のレベルより所定程度低い所定の受信品質を表す第２のレベルより良好でない場合に、前記検査チャネルは前記受信可能放送チャネルでないと判定し、他の場合に、前記検査チャネルのダイバーシティ受信品質を取得し、取得したダイバーシティ受信品質が良好であるときに前記検査チャネルは前記受信可能放送チャネルであると判定し、取得したダイバーシティ受信品質が良好でないときに、前記検査チャネルは前記受信可能放送チャネルでないと判定する。
【００１２】
ここで、以上のような放送受信装置は、当該放送受信装置に、前記ダイバーシティ受信部が受信可能な放送チャネルが登録されたステーションリストと、ユーザ操作に応じて、前記ステーションリストに登録されている放送チャネルの放送の受信を、前記ダイバーシティ受信部に行わせる受信チャネル制御手段と、前記ステーションリストを作成するステーションリスト作成手段とを設けると共に、前記ステーションリスト作成手段において、前記検査チャネルとする放送チャネルを切り替えながら、各検査チャネルについての前記判定処理を受信可能放送チャネル判定手段に行わせて、各放送チャネルが前記受信可能放送チャネルであるか否かを検出し、前記受信可能放送チャネルであることが検出された放送チャネルを前記ステーションリストに登録するように構成してもよい。
【００１３】
また、以上の放送受信装置は、前記第１受信品質検出部に、前記第１のアンテナを用いて前記検査チャネルの放送信号を受信する第１のチューナを備え、前記第２受信品質検出部に、前記第２のアンテナを用いて前記検査チャネルの放送信号を受信する第２のチューナを備えると共に、前記ダイバーシティ受信品質検出部に、前記第１チューナが受信した放送信号と前記第２チューナが受信した放送信号をダイバーシティ合成するダイバーシティ合成部と、当該ダイバーシティ合成部が合成した放送信号に基づいて前記ダイバーシティ受信品質を検出する検出部とを備えて構成してもよい。
【００１４】
ここで、以上の放送受信装置において、前記第１のレベルは、前記第１チューナもしくは第２チューナで前記検査チャネルを正常に受信できなくなる受信品質のレベルとしてもよい。
また、この場合、前記第２のレベルは、前記第１のアンテナによる受信品質と前記第２のアンテナによる受信品質の双方が当該第２のレベルよりも良好でない場合に、前記ダイバーシティ受信部で正常にダイバーシティ受信できなくなることが保証されるレベルに設定することが好ましい。
【００１５】
ここで、以上の放送受信装置において、前記放送はラジオ放送であってよい。
また、以上の各放送受信装置は、自動車に搭載される放送受信装置であってよい。
このような放送受信装置によれば、検査チャネルが、第１受信品質検出部、第２受信品質検出部それぞれにおいて検出した第１受信品質、第２受信品質の少なくとも一方が第１レベルより良好である場合や、第１受信品質、第２受信品質の双方が第１レベルより良好でなく、第１受信品質、第２受信品質の双方または一方が第２レベルより良好でない場合には、比較的時間を要するダイバーシティ受信品質検出部におけるダイバーシティ受信品質の検出をまたずに、ダイバーシティ受信部で正常にダイバーシティ受信できる受信可能放送チャネルであるかどうかを判定することができる。
【００１６】
ここで、単一のアンテナを用いて放送を正常に受信できる場合には、二つのアンテナを用いるダイバーシティ受信によっても正常に放送を受信できる。また、二つのアンテナのそれぞれの受信環境の双方が所定レベル以上劣悪である場合には、ダイバーシティ受信によっても正常に放送を受信することはできない。
【００１７】
したがって、以上のような放送受信装置によれば、適切な第１レベル、第２レベルを用いることにより、第１受信品質検出部、第２受信品質検出部でそれぞれ単一のアンテナを用いて検出した第１受信品質、第２受信品質に基づいてダイバーシティ受信部におけるダイバーシティ受信の判定を行っても、ダイバーシティ受信によって受信可能な放送の探索漏れが発生しないようにすることができる。
【発明の効果】
【００１８】
以上のように、本発明によれば、ダイバーシティ受信を行う放送受信装置において、ダイバーシティ受信によって受信可能な放送の探索を、短時間で探索漏れなく行うことができる。
【図面の簡単な説明】
【００１９】
【図１】本発明の実施形態に係るラジオ放送受信装置の構成を示すブロック図である。
【図２】本発明の実施形態に係るステーションリスト登録処理を示すフローチャートである。
【図３】本発明の実施形態に係るステーションリスト登録処理の処理例を示す図である。
【発明を実施するための形態】
【００２０】
以下、本発明の実施形態について説明する。
図１に、本実施形態に係るラジオ放送受信装置の構成を示す。
図示するように、ラジオ放送受信装置１は、第１アンテナ１０１と第２アンテナ１０２との二つのアンテナ、受信部１０３、アンプ１０４、スピーカ１０５、制御部１０６、入力装置１０７、表示装置１０８、ＢＧ受信部１０９、メモリ１１０を備えている。
【００２１】
次に、受信部１０３は、第１チューナ１０３１と、第２チューナ１０３２と、信号処理部１０３３とを備えている。そして、第１チューナ１０３１は第１アンテナ１０１に接続しており、第２チューナ１０３２は第２アンテナ１０２に接続している。
【００２２】
また、ＢＧ受信部１０９は、第１ＢＧチューナ１０９１と、第２ＢＧチューナ１０９２と、受信品質検出部１０９３とを備えている。そして、第１ＢＧチューナ１０９１は第１アンテナ１０１に接続しており、第２ＢＧチューナ１０９２は第２アンテナ１０２に接続している。
【００２３】
ここで、受信部１０３の第１チューナ１０３１と第２チューナ１０３２には、制御部１０６によって、選択的に一つの周波数チャネルが、受信部１０３の受信チャネルとして設定される。そして、第１チューナ１０３１は、第１アンテナ１０１が受信したＲＦ信号より受信チャネルのＩＦ信号を生成し信号処理部１０３３に出力し、第２チューナ１０３２は、第２アンテナ１０２が受信したＲＦ信号より受信チャネルのＩＦ信号を生成し信号処理部１０３３に出力する。信号処理部１０３３は、第１チューナ１０３１から入力するＩＦ信号と第２チューナ１０３２から入力するＩＦ信号を位相調整した上で合成するフェーズダイバーシティ合成を行い、合成したＩＦ信号より音声を復元し、復元した音声をアンプ１０４に出力する。
【００２４】
次に、アンプ１０４は受信部１０３から出力された音声を、制御部１０６から設定されたゲインで増幅しスピーカ１０５から出力する。
次に、ＢＧ受信部１０９の第１ＢＧチューナ１０９１と第２ＢＧチューナ１０９２には、制御部１０６によって、選択的に一つの周波数チャネルが、検査チャネルとして設定される。そして、第１ＢＧチューナ１０９１は、第１アンテナ１０１が受信したＲＦ信号より検査チャネルのＩＦ信号を生成し受信品質検出部１０９３に出力し、第２ＢＧチューナ１０９２は、第２アンテナ１０２が受信したＲＦ信号より検査チャネルのＩＦ信号を生成し受信品質検出部１０９３に出力する。また、第１ＢＧチューナ１０９１は、生成したＩＦ信号の信号強度（Ｓメータ）より、検査チャネルの受信品質を受信品質Qr1としてを算定し、第２ＢＧチューナ１０９２は、生成したＩＦ信号の信号強度より検査チャネルの受信品質を、受信品質Qr2として算定する。但し、受信品質Qr1、Qr2は、ＳＮ比、マルチパス歪みなどを考慮して算定するようにしてもよい。
【００２５】
一方、受信品質検出部１０９３は、第１ＢＧチューナ１０９１から入力するＩＦ信号と第２ＢＧチューナ１０９２から入力するＩＦ信号を位相調整した上で合成するフェーズダイバーシティ合成を行い、合成したＩＦ信号の信号強度より、検査チャネルの受信品質を、ダイバーシティ受信品質QrDとして算定する。なお、受信品質検出部１０９３は、上述した位相調整のための位相差検出などの前処理を完了し、フェーズダイバーシティ合成によって検査チャネルを定常受信できるようになってからダイバーシティ受信品質QrDを算定するため、ダイバーシティ受信品質QrDの算出までには多少の時間を要する。
【００２６】
次に、ラジオ放送受信装置１のメモリ１１０には、ステーションリストが制御部１０６によって格納される。
そして、ステーションリストは、現在、受信部１０３で受信可能な周波数チャネルのリストである。
さて、このような構成において制御部１０６は、入力装置１０７でユーザから受け付けた選局操作で指定された周波数チャネルを受信チャネルとして受信部１０３に設定する処理や、メモリ１１０のステーションリストに登録されている周波数チャネルの一覧を表示装置１０８に表示し、一覧中からの周波数チャネルの選択を入力装置１０７を介して受け付け、受け付けた周波数チャネルを受信チャネルとして受信部１０３の第１チューナ１０３１と第２チューナ１０３２に設定する処理や、入力装置１０７を介して受け付けたチャネル切替操作に応じて、メモリ１１０のステーションリストに登録されている周波数チャネルを順次、受信チャネルとして受信部１０３の第１チューナ１０３１と第２チューナ１０３２に設定する処理などを行うことにより、ユーザ所望の周波数チャネルの受信部１０３の受信と、当該周波数チャネルで受信した音声のスピーカ１０５への出力を行う。
【００２７】
以下、制御部１０６がステーションリストの作成、更新のために行うステーションリスト更新処理について説明する。
図２に、このステーションリスト更新処理の手順を示す。
図示するように、ステーションリスト更新処理において、制御部１０６は、放送が行われ得る周波数チャネルのうちの周波数が最小の周波数チャネルを、ＢＧ受信部１０９の第１ＢＧチューナ１０９１と第２ＢＧチューナ１０９２に検査チャネルとして設定する（ステップ２０２）。
【００２８】
そして、第１ＢＧチューナ１０９１と第２ＢＧチューナ１０９２のそれぞれが検出した検査チャネルの受信品質Qr1、Qr2を取得する（ステップ２０４）。
そして、受信品質Qr1、Qr2の双方が、しきい値ThNGより低い受信品質であるかどうかを調べ（ステップ２０６）、受信品質Qr1、Qr2の双方が、しきい値ThNGより低い受信品質であれば、ステーションリストに現在検査チャネルとなっている周波数チャネルが登録されている場合には当該周波数チャネルの登録をステーションリストから削除した上で（ステップ２１６）、ステップ２１８に進む。
【００２９】
ここで、受信品質NGを、受信品質Qr1、Qr2の双方が受信品質NGより低い場合には、フェーズダイバーシティ受信によっても正常に放送が受信できなくなることが確実となる、受信品質の最高値として、しきい値ThNGには受信品質NGを表す値を予め設定する。
【００３０】
一方、受信品質Qr1、Qr2の少なくとも一方が、しきい値ThNGより低くなければ（ステップ２０６）、さらに、受信品質Qr1、Qr2の少なくとも一方が、しきい値ThGより高いかどうかを調べる（ステップ２０８）。
【００３１】
ここで、受信品質Gを、フェーズダイバーシティ受信を行うことなく、一組のアンテナとチューナを用いた受信によって正常に放送が受信できることが確実となる受信品質の最低値として、しきい値ThGには予め受信品質Gを表す値を予め設定する。
【００３２】
そして、受信品質Qr1、Qr2の少なくとも一方が、しきい値ThGより高い場合には（ステップ２０８）、検査チャネルとして第１ＢＧチューナ１０９１と第２ＢＧチューナ１０９２に設定している周波数チャネルをメモリ１１０のステーションリストに登録し（ステップ２１４）、ステップ２１８に進む。
【００３３】
一方、受信品質Qr1、Qr2の双方がしきい値ThG以下である場合、すなわち、受信品質Qr1、Qr2の双方がしきい値ThG以下かつ受信品質Qr1、Qr2の少なくとも一方がしきい値ThNG以上である場合には（ステップ２０８）、ＢＧ受信部１０９の受信品質検出部１０９３から検査チャネルのダイバーシティ受信品質QrDを取得する（ステップ２１０）。なお、制御部１０６は、ステップ２１０の開始時に、受信品質検出部１０９３で検査チャネルのダイバーシティ受信品質QrDの検出が完了していない場合には、受信品質検出部１０９３で検査チャネルのダイバーシティ受信品質QrDが検出されるのを待って、当該ダイバーシティ受信品質QrDを取得する。
【００３４】
そして、ダイバーシティ受信品質QrDが、しきい値ThDGより高いかどうかを調べ（ステップ２１２）、しきい値ThDGより高くなければ、ステーションリストに現在検査チャネルとなっている周波数チャネルが登録されている場合には当該周波数チャネルの登録をステーションリストから削除した上で（ステップ２１６）、ステップ２１８に進む。
【００３５】
ここで、受信品質DGをフェーズダイバーシティ受信によって正常に放送が受信できることが確実となる受信品質の最低値として、しきい値ThDGには受信品質DGを表す値を予め設定する。
【００３６】
一方、ダイバーシティ受信品質QrDが、しきい値ThDGより高い場合には（ステップ２１２）、検査チャネルとして第１ＢＧチューナ１０９１と第２ＢＧチューナ１０９２に設定している周波数チャネルをメモリ１１０のステーションリストに登録し（ステップ２１４）、ステップ２１８に進む。
【００３７】
そして、ステップ２１４、２１６のいずれかからステップ２１８に進んだならば、検査チャネルとして第１ＢＧチューナ１０９１と第２ＢＧチューナ１０９２に設定している周波数チャネルが、放送が行われ得る周波数チャネルのうちの周波数が最大の周波数チャネルであるかどうかを調べ、周波数が最大の周波数チャネルであれば、ステップ２０２からの処理に戻り、周波数が最大の周波数チャネルでなければ、放送が行われ得る周波数チャネルのうちの、検査チャネルとして第１ＢＧチューナ１０９１と第２ＢＧチューナ１０９２に設定している周波数チャネルの次に周波数が大きい周波数チャネルを検査チャネルとして、ＢＧ受信部１０９の第１ＢＧチューナ１０９１と第２ＢＧチューナ１０９２に設定した上で（ステップ２２０）、ステップ２０４からの処理に戻る。
【００３８】
以上、制御部１０６が行うステーションリスト更新処理について説明した。
次に、以上のようなステーションリスト更新処理の処理例を示す。
図３は、受信品質Qr1/Qr2の良否を、受信品質Qr1/Qr2がしきい値ThGより高い場合に良、受信品質Qr1/Qr2がしきい値ThG以下かつしきい値ThNG以上の場合に不良、受信品質Qr1/Qr2がしきい値ThNGより低い場合に悪とし、ダイバーシティ受信品質QrDの良否を、ダイバーシティ受信品質QrDがしきい値ThDGより高い場合に良、ダイバーシティ受信品質QrDがしきい値ThDG以下の場合に悪として、ステーションリスト更新処理の処理例を示したものである。
【００３９】
図示するように、この例では、ステーションリスト更新処理が開始されると、Ch01が検査チャネルとして第１ＢＧチューナ１０９１と第２ＢＧチューナ１０９２に設定され、第１ＢＧチューナ１０９１、第２ＢＧチューナ１０９２それぞれにおいてCh01の受信品質Qr1、Qr2が検出される。
【００４０】
ここで、受信部１０３はフェーズダイバーシティ受信によって、第１ＢＧチューナ１０９１や第２ＢＧチューナ１０９２において単独に放送の受信を行う場合よりも、より受信環境が悪い状態でも正常に放送を受信できるので、受信品質Qr1、Qr2の少なくとも一方が良である周波数チャネルは、受信部１０３で正常にフェーズダイバーシティ受信できる。
【００４１】
そこで、ここでは、Ch01の受信品質Qr1、Qr2が共に良であるので、制御部１０６は、Ch01をステーションリストに登録すると共に、第１ＢＧチューナ１０９１と第２ＢＧチューナ１０９２に設定する検査チャネルをCh02に切り替える。
【００４２】
すると、次に、第１ＢＧチューナ１０９１、第２ＢＧチューナ１０９２それぞれにおけるCh02の受信品質Qr1、Qr2が検出される。そして、ここでは、Ch02の受信品質Qr1は不良であるが、Ch02の受信品質Qr2は良であるので、制御部１０６は、Ch02をステーションリストに登録すると共に、第１ＢＧチューナ１０９１と第２ＢＧチューナ１０９２に設定する検査チャネルをCh03に切り替える。
【００４３】
すると、次に、第１ＢＧチューナ１０９１、第２ＢＧチューナ１０９２それぞれにおけるCh03の受信品質Qr1、Qr2が検出される。そして、ここでは、Ch03の受信品質Qr1、Qr2は双方とも悪であり、受信品質Qr1、Qr2が双方とも悪である周波数チャネルは受信部１０３でフェーズダイバーシティ受信を行っても正常に受信できないことが確実であるように悪の判定基準（ThNG)を定めているので、制御部１０６は、Ch03をステーションリストへの登録は行わずに、第１ＢＧチューナ１０９１と第２ＢＧチューナ１０９２に設定する検査チャネルをCh04に切り替える。
【００４４】
すると、次に、第１ＢＧチューナ１０９１、第２ＢＧチューナ１０９２それぞれにおけるCh04の受信品質Qr1、Qr2が検出される。そして、ここでは、Ch04の受信品質Qr1、Qr2は双方とも不良であるので、受信部１０３でフェーズダイバーシティ受信を行った場合に、Ch04を正常に受信できるかどうかは確定することができない。そこで、制御部１０６は、受信品質検出部１０９３でCh04のダイバーシティ受信品質QrDが検出されるのを待つ。そして、ここでは、Ch04のダイバーシティ受信品質QrDが良であるので、制御部１０６は、Ch04をステーションリストに登録すると共に、第１ＢＧチューナ１０９１と第２ＢＧチューナ１０９２に設定する検査チャネルをCh05に切り替える。
【００４５】
すると、次に、第１ＢＧチューナ１０９１、第２ＢＧチューナ１０９２それぞれにおけるCh05の受信品質Qr1、Qr2が検出される。そして、ここでは、Ch05の受信品質Qr1は良であり、Ch02の受信品質Qr2は不良であるので、制御部１０６は、Ch05をステーションリストに登録すると共に、第１ＢＧチューナ１０９１と第２ＢＧチューナ１０９２に設定する検査チャネルをCh06に切り替える。
【００４６】
すると、次に、第１ＢＧチューナ１０９１、第２ＢＧチューナ１０９２それぞれにおけるCh06の受信品質Qr1、Qr2が検出される。そして、ここでは、Ch06の受信品質Qr1は不良であり、Ch06の受信品質Qr2は悪であるので、受信部１０３でフェーズダイバーシティ受信を行った場合に、Ch06を正常に受信できるかどうかは確定することができない。そこで、制御部１０６は、受信品質検出部１０９３でCh06のダイバーシティ受信品質QrDが検出されるのを待つ。そして、ここでは、Ch04のダイバーシティ受信品質QrDが悪であるので、制御部１０６は、Ch06をステーションリストに登録するとことなく、第１ＢＧチューナ１０９１と第２ＢＧチューナ１０９２に設定する検査チャネルをCh07に切り替える。
【００４７】
そして、以下、検査チャネルとする周波数チャネルを切替ながら全ての周周波数チャネルに対して同様の処理を行っていく。
さて、図３に示したように、第１ＢＧチューナ１０９１、第２ＢＧチューナ１０９２それぞれにおける受信品質Qr1、Qr2の双方が不良または一方が不良で他方が悪である周波数チャネルについては、受信品質検出部１０９３におけるダイバーシティ受信品質QrDの検出をまって受信部１０３でフェーズダイバーシティ受信を行った場合の正常受信の可否を検出する必要があるため、当該検出には時間ＴＤを要する。
【００４８】
一方、第１ＢＧチューナ１０９１、第２ＢＧチューナ１０９２それぞれにおける受信品質Qr1、Qr2の少なくとも一方が良である周波数チャネルや、受信品質Qr1、Qr2の双方が悪である周波数チャネルについては、時間ＴＤよりも短い時間ＴＳ内に、受信品質検出部１０９３におけるダイバーシティ受信品質QrDの検出を待たずに、受信部１０３でフェーズダイバーシティ受信を行った場合の正常受信の可否を検出することができる。
【００４９】
よって、本実施形態に係るステーションリスト登録処理によれば、フェーズダイバーシティ受信によって受信可能な放送の探索を、短時間で探索漏れなく行うことができる。
以上、本発明の実施形態について説明した。
ところで、以上の実施形態は、第１ＢＧチューナ１０９１、第２ＢＧチューナ１０９２それぞれにおける受信品質Qr1、Qr2の双方が不良または一方が不良で他方が悪である周波数チャネルについては、受信品質検出部１０９３におけるダイバーシティ受信品質QrDの良否に応じて、受信部１０３でフェーズダイバーシティ受信を行った場合の正常受信の可否を検出するようにしたが、これは、次のように変更して実施するようにしてもよい。
【００５０】
すなわち、第１ＢＧチューナ１０９１、第２ＢＧチューナ１０９２それぞれにおける受信品質Qr1、Qr2の双方が不良である周波数チャネルについてのみ、受信品質部におけるダイバーシティ受信品質QrDの良否に応じて、受信部１０３でフェーズダイバーシティ受信を行った場合の正常受信の可否を検出し、第１ＢＧチューナ１０９１、第２ＢＧチューナ１０９２それぞれにおける受信品質Qr1、Qr2の一方が不良で他方が悪である周波数チャネルについては、無条件に、受信部１０３でフェーズダイバーシティ受信を行った場合の正常受信ができないものと判定するようにしてもよい。なお、この場合には、図２のステーションリスト登録処理のステップ２０６は、受信品質Qr1＜ThNG、かつ、受信品質Qr2＜ThNGの場合と、受信品質Qr1とQr2の双方がThG以下、かつ、受信品質Qr1とQr2の一方がThNG未満である場合にステップ２１６に進み、他の場合にステップ２０８に進む処理とする。
【００５１】
また、以上の実施形態では受信可能な周波数チャネルをバックグランドで探索してステーションリストに登録する動作について示したが、本実施形態で示した第１ＢＧチューナ１０９１と第２ＢＧチューナ１０９２で検出した受信品質Qr1/Qr2とダイバーシティ受信品質QrDに応じて、周波数チャネルの放送の受信の可否を判定する技術は、各種サーチ、各種スキャンなど任意の用途における周波数チャネルの放送の受信の可否の検出に同様に適用することができる。
【００５２】
また、以上の実施形態では、ラジオ放送を受信する放送受信装置への適用を例にとり説明したが、本実施形態は、ＴＶ放送を受信する放送受信装置などの、任意の放送を受信する放送受信装置に同様に適用することができる。
【符号の説明】
【００５３】
１…ラジオ放送受信装置、１０１…第１アンテナ、１０２…第２アンテナ、１０３…受信部、１０４…アンプ、１０５…スピーカ、１０６…制御部、１０７…入力装置、１０８…表示装置、１０９…ＢＧ受信部、１１０…メモリ、１０３１…第１チューナ、１０３２…第２チューナ、１０３３…信号処理部、１０９１…第１ＢＧチューナ、１０９２…第２ＢＧチューナ、１０９３…受信品質検出部。
【図１】
2018007052.tif 000003
【図２】
2018007052.tif 000004
【図３】
2018007052.tif 000005